(57)【要約】【課題】  床面に傾斜角度の異なる複数の領域が混在した場所で、複数枚のパネルを容易に連結して設置し得る間仕切りパネル構造を提供する。【解決手段】  複数枚のパネル１を順次連結した間仕切りパネル構造に於て、各パネル１は、間仕切りパネル本体２と、凹溝を有する第１縦方向縁部材４と、凹溝に嵌め込み可能な形状の凸部５を有する第２縦方向縁部材６と、を備える。また、第１縦方向縁部材４及び第２縦方向縁部材６の夫々は、間仕切りパネル本体２の左右側縁部７，７に、上下中央位置の枢結軸８によって微小角度揺動可能に取り付けられている。【選択図】  図１
0003116755.tif 000002
【実用新案登録請求の範囲】
【請求項１】
複数枚のパネル（１）を順次連結した間仕切りパネル構造に於て、
各上記パネル（１）は、間仕切りパネル本体（２）と、凹溝（３）を有する第１縦方向縁部材（４）と、該凹溝（３）に嵌め込み可能な形状の凸部（５）を有する第２縦方向縁部材（６）と、を備え、
上記第１縦方向縁部材（４）及び上記第２縦方向縁部材（６）の夫々は、上記間仕切りパネル本体（２）の左右側縁部 (７)(７) に、上下中央位置の枢結軸（８）によって微小角度（α）揺動可能に取り付けられていることを特徴とする間仕切りパネル構造。
【請求項２】
上記第１縦方向縁部材（４）の上記凹溝（３）を形成する内壁には、スリット部（９）が設けられ、
上記第２縦方向縁部材（６）には、隣の上記パネル（１）の上記スリット部（９）と係合して隣り合う該パネル (１)(１) 同士を連結すると共に内部から外部へ出没自在な掛止部材（10）が取り付けられている請求項１記載の間仕切りパネル構造。
【請求項３】
上記第２縦方向縁部材（６）の上記凸部（５）には、スリット部（９）が設けられ、
上記第１縦方向縁部材（４）には、隣の上記パネル（１）の上記スリット部（９）と係合して隣り合う該パネル (１)(１) 同士を連結すると共に内部から外部へ出没自在な掛止部材（10）が取り付けられている請求項１記載の間仕切りパネル構造。
【考案の詳細な説明】
【技術分野】
【０００１】
本考案は、間仕切りパネル構造に関する。
【背景技術】
【０００２】
従来、展示会場，オフィス等の空間を任意に仕切る間仕切りパネル構造が知られている。従来の間仕切りパネル構造は、複数枚のパネルを連結具を使用して順次連結していた（例えば、特許文献１参照）。
特許文献１では、２枚のパネルの側面同士を突き合わせ、夫々連結具により連結して間仕切りを構成するパネルの連結構造において、パネルの夫々の側面の上下に連結具の挿入穴を穿設し、レバーの回動により上下にスライドするスライドレールをパネルの側面の内側に設け、パネルの側面に設けた挿入穴と位置が一致した際に連結具と係合する固定穴をスライドレールに設けたものが開示されている。
そして、レバーの開時に挿入穴を介して固定穴に差し込まれた連結具は、レバーの閉時の固定穴の下降により固定されるようになっている。つまり、特許文献１では、隣り合うパネル同士が連結具を介して、連結されるようになっており、連結状態では、隣り合うパネルの側面同士が近接状若しくは当接状となっている。
【特許文献１】特開平７−１０９７８３号公報
【考案の開示】
【考案が解決しようとする課題】
【０００３】
ところで、複数枚の間仕切り用のパネルが設置される展示会場，オフィス等の床面は、常に水平状（平面状）であるとは限らない。そして、あるパネルが設置されている床面とその隣のパネルの床面とでは、床面の傾斜角度が異なる場合がある。この場合、上記特許文献１に開示されたような従来の間仕切りパネル構造では、隣合うパネルの側面同士の傾斜角度が相違することによって、パネル同士をうまく連結できないという問題が生じていた。
そこで、本考案は、床面に傾斜角度の異なる複数の領域が混在した場所で、複数枚のパネルを容易に連結して設置し得る間仕切りパネル構造を提供することを目的とする。
【課題を解決するための手段】
【０００４】
上記の目的を達成するために、本考案に係る間仕切りパネル構造は、複数枚のパネルを順次連結した間仕切りパネル構造に於て、各上記パネルは、間仕切りパネル本体と、凹溝を有する第１縦方向縁部材と、該凹溝に嵌め込み可能な形状の凸部を有する第２縦方向縁部材と、を備え、上記第１縦方向縁部材及び上記第２縦方向縁部材の夫々は、上記間仕切りパネル本体の左右側縁部に、上下中央位置の枢結軸によって微小角度揺動可能に取り付けられている。
また、上記第１縦方向縁部材の上記凹溝を形成する内壁には、スリット部が設けられ、上記第２縦方向縁部材には、隣の上記パネルの上記スリット部と係合して隣り合う該パネル同士を連結すると共に内部から外部へ出没自在な掛止部材が取り付けられている。
また、上記第２縦方向縁部材の上記凸部には、スリット部が設けられ、上記第１縦方向縁部材には、隣の上記パネルの上記スリット部と係合して隣り合う該パネル同士を連結すると共に内部から外部へ出没自在な掛止部材が取り付けられている。
【考案の効果】
【０００５】
本考案は、次のような著大な効果を奏する。
本考案の間仕切りパネルは、各パネルにおいて、間仕切りパネル本体に対して第１縦方向縁部材, 第２縦方向縁部材を独立して揺動させて、パネルの側面の傾斜角度を調整することができ、床面に傾斜角度の異なる複数の領域が混在した場所で、複数枚のパネルを容易に連結して設置し得る。
また、隣り合うパネル同士を隙間無く連結することができるので、間仕切りされた空間の一方側と他方側とが関わることもなく、空間を区画する間仕切りとして好適である。
また、第１縦方向縁部材の凹溝と隣のパネルの第２縦方向縁部材の凸部との嵌合により、パネルの連結部分の前後方向からの外力に対する剛性を高めることができ、隣り合うパネルの連結状態が容易に解除されないようにできる。また、パネルを前後方向から見たときに、第１縦方向縁部材と隣のパネルの第２縦方向縁部材との間に隙間が生じるのを確実に防ぐことができる。
また、掛止部材をスリット部に掛止させるだけでパネル同士の連結を確実に行うことができ、連結作業が容易である。
また、パネル同士の連結を解除した際に、掛止部材を第２縦方向縁部材の内部に収納して外観をすっきりさせることができる。
【考案を実施するための最良の形態】
【０００６】
以下、実施の形態を示す図面に基づき、本考案を詳説する。
図１〜図３に於て、本考案の実施の一形態に係る間仕切りパネル構造は、自立式の複数枚のパネル１…を順次連結して構成されている。
各パネル１は、間仕切りパネル本体２と、凹溝３を有する第１縦方向縁部材４と、凹溝３に嵌め込み可能な形状の凸部５を有する第２縦方向縁部材６と、を備えている。
間仕切りパネル本体２は、矩形板状であり、その下端には、前後方向の一対の脚杆25, 25が取り付けられている。また、各脚杆25の両端部には、首振自在な車輪26が付設されている。一対の脚杆25, 25のうち、一方側の脚杆25に付設される車輪26，26は、ブレーキ付車輪26ａ，26ａとなっており、他方側の脚杆25に付設される車輪26，26は、ブレーキ無車輪26ｂ，26ｂとなっている。
【０００７】
ここで、第１縦方向縁部材４及び第２縦方向縁部材６は、横断面略コの字状であり、間仕切りパネル本体２の左右側縁部７，７と略同一長さに形成されている。また、第１縦方向縁部材４の凹溝３は、第１縦方向縁部材４の長手方向へ全長に渡って形成され、第２縦方向縁部材６の凸部５は、第２縦方向縁部材６の長手方向へ全長に渡って形成されている。
第１縦方向縁部材４及び第２縦方向縁部材６の夫々は、間仕切りパネル本体２の左右側縁部７，７に、上下中央位置の枢結軸８によって微小角度α揺動可能（図１の矢印Ａ方向）にかつ嵌め込み状に取り付けられている。なお、本発明において、微小角度α（図４参照）とは、０°＜α≦２°の範囲とする。
【０００８】
また、本実施形態では、図３に示すように、第１縦方向縁部材４と間仕切りパネル本体２の側縁部７との重なり量Ｌが、所定の量に設定されている。具体的に説明すると、第１縦方向縁部材４が揺動していない状態（第１縦方向縁部材４の長手方向が間仕切りパネル本体２の側面23と平行な状態）において、重なり量Ｌ1 は、間仕切りパネル本体２の側面23から第１縦方向縁部材４の開口端21までの距離とする。そして、この重なり量Ｌ1 は、第１縦方向縁部材４の凹溝３を形成する内底壁３ａから間仕切りパネル本体２の側面23までの距離Ｘよりも大きい量に設定されている。これにより、図４に於て示すように、第１縦方向縁部材４を間仕切りパネル本体２に対してＡ方向に最も揺動させた際にも、第１縦方向縁部材４と間仕切りパネル本体２の側縁部７とは、パネル１の下部側において重なった状態を保つことができる。そして、間仕切りされた空間の一方側から他方側が見えるような隙間が、第１縦方向縁部材４と間仕切りパネル本体２との間に生じるのを、防ぐことができる。
また、図３に示すように、第１縦方向縁部材４と同様にして、第２縦方向縁部材６と側縁部７との重なり量Ｌ2 も、所定の量に設定されている。
【０００９】
第１縦方向縁部材４の凹溝３を形成する内壁（内底壁３ａ）には、直線状スリット部９が上下２箇所に設けられている。また、第２縦方向縁部材６には、隣のパネル１のスリット部９と係合して隣り合うパネル１，１同士を連結すると共に内部から外部へ出没自在な掛止部材10が、スリット部９に対応する上下２箇所に、取り付けられている。
掛止部材10は、図３及び図５に於て示すように、鉤型の金属板であり、第２縦方向縁部材６に枢結軸22にて揺動可能に取り付けられている。また、掛止部材10は、第２縦方向縁部材６に設けられたスリット状貫孔部31から出没自在となっており、パネル１，１同士の非連結状態では、第２縦方向縁部材６の内部に収納される。また、掛止部材10は、第２縦方向縁部材６の外部に設けられた係脱つまみ32を回すことによって、隣のパネル１のスリット部９への係合とその解除を行えるようになっている。
【００１０】
次に、図６に於て、上述した構成のパネル１を複数枚連結したものの作用について説明する。図６では、傾斜角度の異なる複数の領域が混在した床面Ｇに複数連結状のパネル１…を設置する場合を例示している。
床面Ｇには、水平領域Ｅと、水平領域Ｅに対して傾斜角度θの傾斜領域Ｄとが存在している。そして、この床面Ｇの傾斜領域Ｄには、パネル１ａが設置され、床面Ｇの水平領域Ｅには、パネル１ａと隣合うパネル１ｂが設置されている。
この場合、パネル１ａの間仕切りパネル本体２ａは、下側に車輪26…が付設されていることから傾斜領域Ｄの傾斜に従って傾く。つまり、パネル１ａの間仕切りパネル本体２ａは、パネル１ｂの間仕切りパネル本体２ｂより傾斜角度θだけ傾いている。また、間仕切りパネル本体２ａの側面23ａは、間仕切りパネル本体２ｂの側面23ｂより傾斜角度θだけ傾いている。
【００１１】
ここで、間仕切りパネル本体２ａの側縁部７に取り付けられた第１縦方向縁部材４は、矢印Ａ方向に揺動し、間仕切りパネル本体２ｂの側縁部７に取り付けられた第２縦方向縁部材６は、矢印Ｂ方向に揺動することによって、間仕切りパネル本体２ａの側面23ａと間仕切りパネル本体２ｂの側面23ｂとの傾斜角度の違いを吸収するようになっている。これにより、傾斜領域Ｄに設置されたパネル１ａと水平領域Ｅに設置されたパネル１ｂとは、パネル１ａ・パネル１ｂ間に隙間を生じることなくうまく連結できるようになっている。
【００１２】
次に、図７及び図８に於て、本実施形態では、上述した構造の２枚のパネル１，１を平面視直角状となるように配置する場合、コーナ連結体11を使用し、このコーナ連結体11を介してパネル１，１同士を連結するようになっている。
コーナ連結体11は、横断面Ｌ字型のコーナ柱部材12と、凹溝13を有する第３縦方向縁部材14と、凹溝13に嵌め込み可能な形状の凸部15を有する第４縦方向縁部材16と、を備えている。
第３縦方向縁部材14及び第４縦方向縁部材16の夫々は、コーナ柱部材12のＬ字型の両端部27, 27に、上下中央位置の枢結軸18によって微小角度α揺動可能にかつ嵌め込み状に取り付けられている。
【００１３】
第３縦方向縁部材14は、パネル１の第１縦方向縁部材４と同一形状とされている。そして、第３縦方向縁部材14を形成する内壁には、第１縦方向縁部材４と同様、直線状スリット部19が上下２箇所に設けられている。
また、第４縦方向縁部材16は、パネル１の第２縦方向縁部材６と同一形状とされている。この第４縦方向縁部材16には、隣のパネル１の第１縦方向縁部材４のスリット部９と係合すると共に内部から外部へ出没自在な掛止部材20が、第１縦方向縁部材４のスリット部９に対応する上下２箇所に、取り付けられている。
【００１４】
掛止部材20は、鉤型の金属板であり、第４縦方向縁部材16に枢結軸24にて揺動可能に取り付けられている。また、掛止部材20は、第４縦方向縁部材16に設けられたスリット状貫孔部41から出没自在となっており、パネル１とコーナ連結体11との非連結状態では、第４縦方向縁部材16の内部に収納される。また、掛止部材20は、第２縦方向縁部材６の外部に設けられた係脱つまみ42を回すことによって、隣のパネル１のスリット部９への係合とその解除を行えるようになっている。
上述のコーナ連結体11の使用により、２枚のパネル１，１を直角状に容易に連結できる。
【００１５】
図９は、本考案の他の実施の形態に係る間仕切りパネル構造を示す要部拡大平面図である。図９の他の実施形態では、図１〜図６に示した実施形態と異なり、掛止部材10が第１縦方向縁部材４側に設けられている場合を例示している。
即ち、第２縦方向縁部材６の凸部５には、スリット部９が設けられている。そして、第１縦方向縁部材４には、隣の上記パネル１のスリット部９と係合して隣り合うパネル１，１同士を連結すると共に内部から外部へ出没自在な掛止部材10が取り付けられている。
その他の構造は、図１〜図６に示した実施形態と同様である。
【００１６】
なお、本考案は、上述の実施の形態に限定されず、本考案の要旨を逸脱しない範囲で設計変更可能である。例えば、本実施形態では、パネル１（間仕切りパネル本体２）の下側にパネル１を走行可能にするための車輪26…が付設されている場合を例示したが、本考案はこれに限らず、車輪26…の代わりに、パネル全体の重量を支持する機能のみを有する固定支持具を付設してもよい。
【００１７】
以上のように、本考案に係る間仕切りパネル構造は、複数枚のパネル１…を順次連結した間仕切りパネル構造に於て、各パネル１は、間仕切りパネル本体２と、凹溝３を有する第１縦方向縁部材４と、凹溝３に嵌め込み可能な形状の凸部５を有する第２縦方向縁部材６と、を備え、第１縦方向縁部材４及び第２縦方向縁部材６の夫々は、間仕切りパネル本体２の左右側縁部７，７に、上下中央位置の枢結軸８によって微小角度α揺動可能に取り付けられているので、各パネル１において、間仕切りパネル本体２に対して第１縦方向縁部材４, 第２縦方向縁部材６を独立して揺動させて、パネル１の側面の傾斜角度を調整することができる。これにより、複数枚のパネル１…のうち、床面Ｇの傾斜領域Ｄに一部が設置され、残りが床面Ｇの水平領域Ｅに設置される場合でも、隣合うパネル１，１間に隙間が生じることなく、隣り合うパネル１，１同士を容易に連結することができる。つまり、床面Ｇに傾斜角度の異なる複数の領域（傾斜領域Ｄ，水平領域Ｅ）が混在した場所で、複数枚のパネル１…を容易に連結して設置し得る。また、隣り合うパネル１，１同士を隙間無く連結することができるので、間仕切りされた空間の一方側と他方側とが関わることもなく、空間を区画する間仕切りとして好適である。
【００１８】
また、第１縦方向縁部材４の凹溝３に隣のパネル１の第２縦方向縁部材６の凸部５を嵌め込んでパネル１，１同士を連結することによって、パネル１の連結部分の前後方向からの外力に対する剛性を高めることができ、隣り合うパネル１，１の連結状態が容易に解除されないようにできる。また、凹溝３と凸部５との嵌合により、パネル１…を前後方向から見たときに、第１縦方向縁部材４と隣のパネル１の第２縦方向縁部材６との間に隙間が生じるのを確実に防ぐことができる。
【００１９】
また、第１縦方向縁部材４の凹溝３を形成する内壁には、スリット部９が設けられ、第２縦方向縁部材６には、隣のパネル１のスリット部９と係合して隣り合うパネル１，１同士を連結すると共に内部から外部へ出没自在な掛止部材10が取り付けられているので、掛止部材10を隣のパネル１のスリット部９に掛止させるだけでパネル１，１同士の連結を確実に行うことができ、連結作業が容易である。
また、パネル１，１同士の連結を解除した際に、掛止部材10を第２縦方向縁部材６の内部に収納して外観をすっきりさせることができる。
また、パネル１，１同士の連結状態では、外部から掛止部材10が見えないようにでき、外観をすっきりさせることができる。
【００２０】
また、第２縦方向縁部材６の凸部５には、スリット部９が設けられ、第１縦方向縁部材４には、隣の上記パネル１のスリット部９と係合して隣り合うパネル１，１同士を連結すると共に内部から外部へ出没自在な掛止部材10が取り付けられているので、掛止部材10を隣のパネル１のスリット部９に掛止させるだけでパネル１，１同士の連結を確実に行うことができ、連結作業が容易である。
また、パネル１，１同士の連結を解除した際に、掛止部材10を第２縦方向縁部材６の内部に収納して外観をすっきりさせることができる。
また、パネル１，１同士の連結状態では、外部から掛止部材10が見えないようにでき、外観をすっきりさせることができる。
【図面の簡単な説明】
【００２１】
【図１】本考案の実施の一形態に係る間仕切りパネル構造を示す正面図である。
【図２】側面図である。
【図３】パネル同士の連結部分の部分破断要部平面図である。
【図４】縦方向縁部材を間仕切りパネル本体に対して揺動させた状態を示す部分破断要部正面図である。
【図５】パネル同士の連結部分の部分破断要部正面図である。
【図６】傾斜がある床面での間仕切りパネル構造の使用状態を示す正面図である。
【図７】コーナ連結体の使用状態を示す平面図である。
【図８】コーナ連結体の部分破断平面図である。
【図９】本考案の他の実施の形態に係る間仕切りパネル構造を示す部分破断要部平面図である。
【符号の説明】
【００２２】
１  パネル
２  間仕切りパネル本体
３  凹溝
４  第１縦方向縁部材
５  凸部
６  第２縦方向縁部材
７  側縁部
８  枢結軸
９  スリット部
10  掛止部材
【図１】
0003116755.tif 000003
【図２】
0003116755.tif 000004
【図３】
0003116755.tif 000005
【図４】
0003116755.tif 000006
【図５】
0003116755.tif 000007
【図６】
0003116755.tif 000008
【図７】
0003116755.tif 000009
【図８】
0003116755.tif 000010
【図９】
0003116755.tif 000011